【事件の表示】
　特願２００２−１９２９１６号「有機電界発光素子及びその製造方法」拒絶査定不服審判事件〔平成１６年　３月１８日出願公開、特開２００４−　８７１３０号〕について、次のとおり審決する。
【結　論】
　本件審判の請求は、成り立たない。
【理　由】
１．手続の経緯
　
　本願は、平成１４年７月２日（優先権主張　平成１４年６月２４日）の出願であって、平成２０年１月２４日付けで拒絶査定がなされ、これに対して、平成２０年４月２日に拒絶査定不服審判の請求がなされるとともに、平成２０年４月２８日付けで手続補正がなされたものである。
　
２．平成２０年４月２８日付けの手続補正（以下、「本件補正」という。）についての補正の却下の決定
　
［補正の却下の決定の結論］平成２０年４月２８日付けの手続補正を却下する。
　
［理由１］
　
（１）補正後の本願発明
　本件補正により、特許請求の範囲の請求項１は、
「透明電極と金属電極の間に４，４’，４’’−トリス｛Ｎ，Ｎ−ビス（ｐ−ｔｅｒｔ−ブチルフェニル）アミノ｝トリフェニルアミンよりなる正孔注入層と、ピラン誘導体を含む赤色発光層とを少なくとも有し、前記透明電極と前記金属電極の間に電圧を印加して前記赤色発光層に電流を流すことにより発光させて、発光光を外部に取り出すことを特徴とする有機電界発光素子。」
と補正された。
　
　本件補正は、補正前の請求項１に記載した発明を特定するために必要な事項である「有機薄膜よりなる赤色発光層」について「ピラン誘導体を含む赤色発光層」と限定するものであり、この補正は、平成１８年法律第５５号改正附則第３条第１項によりなお従前の例によるとされる同法による改正前の特許法第１７条の２（以下、単に「特許法第１７条の２」という。）第４項第２号に規定する特許請求の範囲の減縮を目的とする補正に該当する。
　
　そこで、本件補正後の請求項１に係る発明（以下、「本願補正発明」という。）が、特許出願の際独立して特許を受けることができるものであるか（特許法第１７条の２第５項において準用する同法第１２６条第５項の規定に違反しないか）について検討する。
　
（２）引用例
　当審において新たに発見した特開２００１−１８５３５４号公報（以下、「引用例１」という。）、及び、原査定の拒絶理由に引用された特開２００１−２１３８５１号公報（以下、「引用例２」という。）には、以下の技術事項が記載されている。
　
ａ．引用例１；
　
　電気光学装置に関するもので、
記載事項ア．【特許請求の範囲】の項中【請求項１８】
「基板上に形成された複数のＴＦＴと、前記複数のＴＦＴの各々に接続された複数の画素電極と、前複数の画素電極の内、第１の画素電極の上に赤色に発光する第１のＥＬ層と、前複数の画素電極の内、第２の画素電極の上に緑色に発光する第２のＥＬ層と、前複数の画素電極の内、第３の画素電極の上に青色に発光する第３のＥＬ層とを有し、前記第１乃至第３のＥＬ層は、前記複数の画素電極に渡って連続して設けられていることを特徴とする電気光学装置。」
　
記載事項イ．【実施例】［実施例１］の項中【０１３１】〜【０１３７】
「【０１３１】そして、第２パッシベーション膜３４８、第２層間絶縁膜３４７及び第１パッシベーション膜３４４にドレイン配線３４３に達するコンタクトホールを形成し、画素電極３４９を形成する。本実施例では酸化インジウム・スズ（ＩＴＯ）膜を１１０ｎｍの厚さに形成し、パターニングを行って画素電極とする。この画素電極３４９がＥＬ素子の陽極となる。なお、他の材料として、酸化インジウム・チタン膜や酸化インジウム・亜鉛膜を用いることも可能である。・・・
【０１３４】次に、図９（Ｃ）に示すように、ＥＬ層３５０をインクジェット方式により形成し、さらに大気解放しないで陰極（ＭｇＡｇ電極）３５１、補助電極３５２を形成する。このときＥＬ層３５０及び陰極３５１を形成するに先立って画素電極３４９に対して熱処理を施し、水分を完全に除去しておくことが望ましい。なお、本実施例ではＥＬ素子の陰極としてＭｇＡｇ電極を用いるが、公知の他の材料であっても良い。
【０１３５】尚、ＥＬ層３５０としては実施形態２で説明した材料を用いることができる。例えば、正孔注入層（Ｈｏｌｅ　ｉｎｊｅｃｔｉｎｇ　ｌａｙｅｒ）、正孔輸送層（Ｈｏｌｅ　ｔｒａｎｓｐｏｒｔｉｎｇ　ｌａｙｅｒ）、発光層（Ｅｍｉｔｔｉｎｇ　ｌａｙｅｒ）及び電子輸送層（Ｅｌｅｃｔｒｏｎ　ｔｒａｎｓｐｏｒｔｉｎｇ　ｌａｙｅｒ）でなる４層構造をＥＬ層としても良いし、電子輸送層を設けない場合もあり、電子注入層を設ける場合もある。また、正孔注入層を省略する場合もある。このように組み合わせは既に様々な例が報告されており、そのいずれの構成を用いても構わない。
【０１３６】正孔注入層又は正孔輸送層としてはアミン系のＴＰＤ（トリフェニルアミン誘導体）を用いればよく、他にもヒドラゾン系（代表的にはＤＥＨ）、スチルベン系（代表的にはＳＴＢ）、スターバスト系（代表的にはｍ−ＭＴＤＡＴＡ）等を用いることができる。特にガラス転移温度が高く結晶化しにくいスターバスト系材料が好ましい。
【０１３７】発光層としては赤色発光層としてはＢＰＰＣ、ペリレン、ＤＣＭが用いることができるが、特にＥｕ（ＤＢＭ）３（Ｐｈｅｎ）で示されるＥｕ錯体（Ｊ．Ｋｉｄｏ　ｅｔ．ａｌ，Ａｐｐｌ．Ｐｈｙｓ．，ｖｏｌ．３５，ｐｐ．Ｌ３９４−３９６，１９９６に詳しい。）は６２０ｎｍの波長に鋭い発光をもち単色性が高い。」
　
　また、引用例１の図９（Ｃ）には、ＩＴＯ膜よりなる画素電極３４９とＭｇＡｇ電極３５１の間にＥＬ層３５０を有することが図示されている。
　
　引用例１の上記記載事項及び図示内容からして、引用例１には、
「基板上に形成された複数のＴＦＴと、前記複数のＴＦＴの各々に接続された複数の画素電極と、前複数の画素電極の内、第１の画素電極の上に赤色に発光する第１のＥＬ層と、前複数の画素電極の内、第２の画素電極の上に緑色に発光する第２のＥＬ層と、前複数の画素電極の内、第３の画素電極の上に青色に発光する第３のＥＬ層とを有する電気光学装置において、
　ＩＴＯ膜よりなる画素電極３４９とＭｇＡｇ電極３５１の間にＥＬ層３５０を有し、ＥＬ層３５０が、正孔注入層、正孔輸送層、発光層及び電子輸送層でなる４層構造であり、正孔注入層としてｍ−ＭＴＤＡＴＡを用い、発光層としては赤色発光層としてＤＣＭを用いる電気光学装置。」
の発明（以下、「引用発明１」という。）が記載されているといえる。
　
ｂ．引用例２；
　
　トリフェニルアミン化合物を用いた正孔注入材料に関するもので、
記載事項ウ．【特許請求の範囲】の項中【請求項２】、【請求項４】
「【請求項２】［化１］式で表される構造を有することを特徴とする正孔注入材料。
【化１】
　
　
【請求項４】請求項２記載の正孔注入材料または請求項３記載の正孔注入材料（当審注：「正孔輸送材料」の誤記と認められる。）を用いたことを特徴とする有機電界発光素子。」
　
記載事項エ．【０００１】
「【発明の属する技術分野】本発明は安全性と環境安定性に優れた正孔輸送材料および正孔注入材料、またその正孔輸送材料または正孔注入材料を用いた有機電界発光素子に関するものである。」
　
記載事項オ．【発明が解決しようとする課題】の項中【０００６】
「また電子製品材料には高温環境下や発熱環境下において使用される場合、電子製品を構成する機能性膜が劣化して電子製品の寿命が短くなるという問題点があり、特に正孔輸送材料を含む電子製品においては環境安定性が求められている。環境安定性を満たすためには、ガラス転移点の高い正孔輸送材料を選べば良い結果が得られることがわかってきている（IEEE.Trans.Electron Dev.,44,1239,１９９７年）、（有機ＬＥＤ素子の残された重要課題と実用化戦略,ｐ１６,有機エレクトロニクス材料研究会,１９９９年）。」
　
記載事項カ．【００１４】
「【課題を解決するための手段】本発明者らは、一般的な正孔注入材料として頻繁に用いられているｍ−ＭＴＤＡＴＡと構造があまり違わず、しかもｍ−ＭＴＤＡＴＡと比較して、顕著に高いガラス転移点を有する正孔輸送材料および正孔注入材料を探索した結果、［化１］式の化合物が特異的に、類似の構造の化合物に比べて、顕著に高いガラス転移点を有することを見出して本発明を完成した。」
　
記載事項キ．【課題を解決するための手段】の項中【００１６】
「本発明の［化１］式の化合物は、１４０℃という顕著に高いガラス転移点を示し、ｍ−ＭＴＤＡＴＡのような類似のトリフェニルアミン化合物のガラス転移点が７５℃であるように、スターバースト型トリフェニルアミン３量体である類似の化合物群が一般的に８０℃以下のガラス転移点を有するのに比べ、明らかに際だった高いガラス転移点を有している。」
　
記載事項ク．【課題を解決するための手段】の項中【００２１】
「本発明の化合物の仕事関数は５．１ｅＶであり、［化５］式の化合物にターシャリーブチル基を導入しても、これらトリフェニルアミン化合物の代表的化合物であるｍ−ＭＴＤＡＴＡと同様の特性を保持しているので、正孔輸送材料および正孔注入材料として使用するのに十分な特性を有している。」
　
記載事項ケ．【課題を解決するための手段】の項中【００２２】
「本発明の化合物はアモルファス状態を安定的に保持し、化学的にも安定であるので、電子製品材料に使用された場合は、高温環境下や発熱環境下において優れた安定性を発揮することができる。また、この電子製品材料は分子内に縮合環芳香族アミンユニットを有さないので安全上の不安が無い。特に、環境安定性の良い発光材や正孔輸送材料または正孔注入材料との組み合わせで有機電界発光素子に使用された場合、高温環境下や発熱環境下において優れた安定性を発揮することができる。」
　
（３）対比
　本願補正発明と引用発明１とを対比する。
　
（ａ）引用発明１の「電気光学装置」は、発光層として「ＤＣＭ」を用いるものであるから、本願補正発明の「有機電界発光素子」に相当する。
　
（ｂ）引用発明１の「ＩＴＯ膜よりなる画素電極３４９」、「ＭｇＡｇ電極３５１」は、本願補正発明の「透明電極」、「金属電極」に相当する。
　引用発明１の「ＩＴＯ膜よりなる画素電極３４９とＭｇＡｇ電極３５１の間にＥＬ層３５０を有し、ＥＬ層３５０が、正孔注入層、正孔輸送層、発光層及び電子輸送層でなる４層構造であり、」「発光層としては赤色発光層としてＤＣＭを用いる電気光学装置」と、本願補正発明の「透明電極と金属電極の間に４，４’，４’’−トリス｛Ｎ，Ｎ−ビス（ｐ−ｔｅｒｔ−ブチルフェニル）アミノ｝トリフェニルアミンよりなる正孔注入層と、ピラン誘導体を含む赤色発光層とを少なくとも有」「する有機電界発光素子」とは、「透明電極と金属電極の間に正孔注入層と、赤色発光層とを少なくとも有する有機電界発光素子」である点で共通している。
　
（ｃ）引用発明１の赤色発光層に用いる「ＤＣＭ」は、４−ジシアノメチレン−２−メチル−６−（ｐ−ジメチルアミノスチリル）−４Ｈ−ピランであるから（例えば特開２００１−２９１５８１号公報の段落【００２４】を参照）、本願補正発明における「ピラン誘導体」のうちの一化合物である。
　したがって、引用発明１の「ＤＣＭを用いる」「赤色発光層」は、本願補正発明の「ピラン誘導体を含む赤色発光層」に相当するといえる。
　
（ｄ）引用発明１は、ＩＴＯ膜よりなる画素電極３４９とＭｇＡｇ電極３５１の間に電圧を印加して赤色発光層に電流を流すことにより発光させて、発光光を外部に取り出すものであることは自明である。
　
　前記（ａ）〜（ｄ）に記載したことからして、本願補正発明と引用発明１との両者は、　　　　　　　　　　　　
「透明電極と金属電極の間に正孔注入層と、ピラン誘導体を含む赤色発光層とを少なくとも有し、前記透明電極と前記金属電極の間に電圧を印加して前記赤色発光層に電流を流すことにより発光させて、発光光を外部に取り出す有機電界発光素子。」
である点で一致し、次の相違点が存在する。
　
［相違点］
　正孔注入層が、本願補正発明は、４，４’，４’’−トリス｛Ｎ，Ｎ−ビス（ｐ−ｔｅｒｔ−ブチルフェニル）アミノ｝トリフェニルアミン（以下、単に「本願トリフェニルアミン」という。）よりなるのに対して、引用発明１は、ｍ−ＭＴＤＡＴＡを用いている点。
　
（４）当審の判断
　相違点について検討する。
　
　引用例２には、本願トリフェニルアミンと同一の化学構造を有する［化１］式で表される構造を有する正孔注入材料を用いた有機電界発光素子について記載されている。
　また、引用例２には、有機電界発光素子の正孔注入材料として用いられる本願トリフェニルアミンと同一の化学構造を有する［化１］式で表される構造を有する化合物は、一般的な正孔注入材料として頻繁に用いられているｍ−ＭＴＤＡＴＡと構造があまり違わず、しかもｍ−ＭＴＤＡＴＡと比較して、顕著に高いガラス転移点を有する正孔輸送材料および正孔注入材料を探索した結果見出されたものであり、高温環境下や発熱環境下において優れた安定性を発揮することが記載（上記記載事項オ〜ケ参照）されているのであるから、引用例２に接した当業者であれば、引用発明１の正孔注入層に用いている、ｍ−ＭＴＤＡＴＡに換えて、前記［化１］式で表される構造を有する化合物を採用することは、格別困難なくなし得ることであるといわざるを得ない。
　したがって、上記相違点に係る本願補正発明の発明特定事項とすることは、引用例２に記載された発明に基いて当業者であれば容易になし得ることである。
　
　また、本願補正発明の作用効果については、ピラン誘導体を含む赤色発光層と組み合わせる正孔注入層の材料として、ｍ−ＭＴＤＡＴＡよりも優れている本願トリフェニルアミンと同一の化学構造を有する引用例２の［化１］式で表される構造を有する化合物を採用したことによる作用効果を単に確認したものに過ぎない。
　
　よって、本願補正発明は、引用例１及び２に記載された発明に基いて当業者が容易に発明をすることができたものであるから、特許法第２９条第２項の規定により特許出願の際独立して特許を受けることができない。
　　
［理由２］
　
（５）引用例
　原査定の拒絶理由に引用された特開平１０−６０４２７号公報（以下、「引用例３」という。）、及び、同じく特開２００１−２１３８５１号公報（先の「引用例２」）には、以下の技術事項が記載されている。
　
ｃ．引用例３；
　
　クマリン誘導体を用いた有機ＥＬ素子に関するもので、
記載事項コ．【特許請求の範囲】の項中【請求項１】〜【請求項３】
「【請求項１】少なくとも１層の有機化合物層を有し、少なくとも１層の有機化合物層が下記式（Ｉ）で示されるクマリン誘導体を含有する有機ＥＬ素子。
【化１】
　
　
［式（Ｉ）中、Ｒ１、Ｒ２、Ｒ３およびＲ４は各々水素原子またはアルキル基を表し、これらは同一でも異なるものであってもよい。Ｚは２個の炭素原子とともにベンゼン環またはナフタレン環を形成するのに必要な原子群を表す。］
【請求項２】前記クマリン誘導体を含有する有機化合物層が発光層である請求項１の有機ＥＬ素子。
【請求項３】前記クマリン誘導体がホスト材料にドープされている請求項２の有機ＥＬ素子。」
　
記載事項サ．【０００９】
「【発明が解決しようとする課題】本発明の目的は、特に物理的変化や光化学的変化、電気化学的変化の少ない光・電子機能材料を用い、信頼性および発光効率の高い種々の発光色を持った、特に赤色の発光色を持った有機ＥＬ素子を実現することである。特に、分子量の大きな化合物を蒸着法で形成した有機薄膜を用い、素子の駆動時の駆動電圧上昇や輝度の低下、電流のリーク、部分的な非発光部の出現・成長を抑えた高信頼性かつ、高い赤色純度の高輝度発光素子を実現することである。」
　　
記載事項シ．【実施例】の項中【００７７】〜【００８６】
「【００７７】・・・
〈実施例１〉厚さ１００ｎｍのＩＴＯ透明電極（陽極）を有するガラス基板を、中性洗剤、アセトン、エタノールを用いて超音波洗浄し、煮沸エタノール中から引き上げて乾燥し、ＵＶオゾン洗浄後、蒸着装置の基板ホルダーに固定して、１×１０−６Ｔｏｒｒ以下まで減圧した。
【００７８】次いで、下記の４，４’４”−トリス（−Ｎ−（−３−メチルフェニル）−Ｎ−フェニルアミノ）トリフェニルアミン（ＭＴＤＡＴＡ）を蒸留速度２ｎｍ／ｓｅｃで５０ｎｍの厚さに蒸着し、正孔注入層とした。
【００７９】さらに、下記のＮ，Ｎ’−ビス−４−（−Ｎ−（ｍ−ビフェニル）−Ｎ−フェニル−４’−アミノビフェニル）−Ｎ，Ｎ’−ジフェニル−１，１’−ビフェニル−４，４’−ジアミン（ＴＰＤ）を、蒸着速度２ｎｍ／ｓｅｃで２０ｎｍの厚さに蒸着し、正孔輸送層とした。
【００８０】次いで、例示化合物Ｎｏ．１と下記のトリス（８−キノリノラト）アルミニウム（Ａ１Ｑ３）を重量比で０．５：１００の比率で、蒸留速度０．５ｎｍ／ｓｅｃで１０ｎｍの厚さに蒸着し、発光層とした。
【００８１】
【化６】
　
　
・・・
【００８４】次いで、減圧状態を保ったまま、電子注入輸送層として、トリス（８−キノリノラト）アルミニウムを蒸着速度０．２ｎｍ／ｓｅｃで１０ｎｍの厚さに蒸着した。
【００８５】さらに、減圧状態を保ったまま、ＭｇＡｇ（重量比１０：１）を蒸留速度０．２ｎｍ／ｓｅｃで２００ｎｍの厚さに蒸着して陰極とし、ＥＬ素子を得た。
【００８６】このＥＬ素子に電圧を印加して電流を流したところ、１５Ｖ、６１５ｍＡ／ｃｍ２で２８６００ｃｄ／ｍ２の赤橙色（発光極大波長λｍａｘ＝５８９ｎｍ、色度座標ｘ＝０．５８、ｙ＝０．４１）の発光が確認され、この発光は乾燥窒素雰囲気中で１００００時間以上安定していた。部分的非発光部の出現および成長は全くなかった。輝度の半減期は１０ｍＡ／ｃｍ２の定電流駆動で２５００時間（初期輝度４５０ｃｄ／ｍ２）であった。」
　
記載事項ス．【実施例】の項中【００８７】、【００８８】
「【００８７】〈実施例２〉実施例１と同様に素子を作製した。ただし、例示化合物Ｎｏ．１とトリス（８−キノリノラト）アルミニウム（Ａ１Ｑ３）の比率を重量比で２：１００とした。
【００８８】このＥＬ素子に電圧を印加して電流を流したところ、１６Ｖ、６１０ｍＡ／ｃｍ２で４０００ｃｄ／ｍ２の赤色（発光極大波長λｍａｘ＝６３５ｎｍ、色度座標ｘ＝０．６４、ｙ＝０．３４）の発光が確認され、この発光は乾燥窒素雰囲気中で１００００時間以上安定していた。部分的非発光部の出現および成長は全くなかった。」
　
　引用例３の上記記載事項からして、引用例３には、
「少なくとも１層の有機化合物層を有し、少なくとも１層の有機化合物層がクマリン誘導体を含有する発光層である有機ＥＬ素子において、
　ＩＴＯ透明電極（陽極）の上に順次、ＭＴＤＡＴＡよりなる正孔注入層、ＴＰＤよりなる正孔輸送層、クマリン誘導体を含有する発光層、電子注入輸送層、ＭｇＡｇ陰極を蒸着してＥＬ素子を得た後、ＥＬ素子に電圧を印加して電流を流したところ、赤色の発光が確認された有機ＥＬ素子。」
の発明（以下、「引用発明２」という。）が記載されているといえる。
　
ｄ．引用例２；
　
　トリフェニルアミン正孔注入材料に関するもので、
記載事項セ．【特許請求の範囲】の項中【請求項２】、【請求項４】
「【請求項２】［化１］式で表される構造を有することを特徴とする正孔注入材料。
【化１】
　
　
【請求項４】請求項２記載の正孔注入材料または請求項３記載の正孔注入材料（「正孔輸送材料」の誤記）を用いたことを特徴とする有機電界発光素子。」
　
記載事項ソ．【０００１】
「【発明の属する技術分野】本発明は安全性と環境安定性に優れた正孔輸送材料および正孔注入材料、またその正孔輸送材料または正孔注入材料を用いた有機電界発光素子に関するものである。」
　
記載事項タ．【発明が解決しようとする課題】の項中【０００６】
「また電子製品材料には高温環境下や発熱環境下において使用される場合、電子製品を構成する機能性膜が劣化して電子製品の寿命が短くなるという問題点があり、特に正孔輸送材料を含む電子製品においては環境安定性が求められている。環境安定性を満たすためには、ガラス転移点の高い正孔輸送材料を選べば良い結果が得られることがわかってきている（IEEE.Trans.Electron Dev.,44,1239,１９９７年）、（有機ＬＥＤ素子の残された重要課題と実用化戦略,ｐ１６,有機エレクトロニクス材料研究会,１９９９年）。」
　
記載事項チ．【００１４】
「【課題を解決するための手段】本発明者らは、一般的な正孔注入材料として頻繁に用いられているｍ−ＭＴＤＡＴＡと構造があまり違わず、しかもｍ−ＭＴＤＡＴＡと比較して、顕著に高いガラス転移点を有する正孔輸送材料および正孔注入材料を探索した結果、［化１］式の化合物が特異的に、類似の構造の化合物に比べて、顕著に高いガラス転移点を有することを見出して本発明を完成した。」
　
記載事項ツ．【課題を解決するための手段】の項中【００１６】
「本発明の［化１］式の化合物は、１４０℃という顕著に高いガラス転移点を示し、ｍ−ＭＴＤＡＴＡのような類似のトリフェニルアミン化合物のガラス転移点が７５℃であるように、スターバースト型トリフェニルアミン３量体である類似の化合物群が一般的に８０℃以下のガラス転移点を有するのに比べ、明らかに際だった高いガラス転移点を有している。」
　
記載事項テ．【課題を解決するための手段】の項中【００２１】
「本発明の化合物の仕事関数は５．１ｅＶであり、［化５］式の化合物にターシャリーブチル基を導入しても、これらトリフェニルアミン化合物の代表的化合物であるｍ−ＭＴＤＡＴＡと同様の特性を保持しているので、正孔輸送材料および正孔注入材料として使用するのに十分な特性を有している。」
　
記載事項ト．【課題を解決するための手段】の項中【００２２】
「本発明の化合物はアモルファス状態を安定的に保持し、化学的にも安定であるので、電子製品材料に使用された場合は、高温環境下や発熱環境下において優れた安定性を発揮することができる。また、この電子製品材料は分子内に縮合環芳香族アミンユニットを有さないので安全上の不安が無い。特に、環境安定性の良い発光材や正孔輸送材料または正孔注入材料との組み合わせで有機電界発光素子に使用された場合、高温環境下や発熱環境下において優れた安定性を発揮することができる。」
　
（６）対比
　本願補正発明と引用発明２を対比する。
　
（ａ）引用発明２の「有機ＥＬ素子」は、本願補正発明の「有機電界発光素子」に相当する。
　
（ｂ）引用発明２の「ＩＴＯ透明電極（陽極）」、「ＭｇＡｇ陰極」は、本願補正発明の「透明電極」、「金属電極」に相当する。
　引用発明２のＥＬ素子に電圧を印加して電流を流したところ、赤色の発光が確認されたのであるから、引用発明２の「発光層」は「赤色発光層」であるといえる。そうすると、引用発明２の「ＩＴＯ透明電極（陽極）の上に順次、ＭＴＤＡＴＡよりなる正孔注入層、ＴＰＤよりなる正孔輸送層、クマリン誘導体を含有する発光層、電子注入輸送層、ＭｇＡｇ陰極を蒸着して」「得た」「有機ＥＬ素子」は、本願補正発明の「透明電極と金属電極の間に」「正孔注入層と、」「赤色発光層とを少なくとも有」「する有機電界発光素子」に相当するといえる。
　
（ｃ）引用発明２の「ＥＬ素子に電圧を印加して電流を流したところ、赤色の発光が確認された」ことは、本願補正発明の「前記透明電極と前記金属電極の間に電圧を印加して赤色発光層に電流を流すことにより発光させて、発光光を外部に取り出す」ことに相当するといえる。
　
　前記（ａ）〜（ｃ）に記載したことからして、本願補正発明と引用発明２との両者は、　　　　　　　　　　　　
「透明電極と金属電極の間に正孔注入層と赤色発光層とを少なくとも有し、前記透明電極と前記金属電極の間に電圧を印加して前記赤色発光層に電流を流すことにより発光させて、発光光を外部に取り出す有機電界発光素子。」
である点で一致し、次の相違点が存在する。
　
相違点（Ａ）；
　正孔注入層が、本願補正発明は、４，４’，４’’−トリス｛Ｎ，Ｎ−ビス（ｐ−ｔｅｒｔ−ブチルフェニル）アミノ｝トリフェニルアミン（以下、単に「本願トリフェニルアミン」という。）よりなるのに対して、引用発明２は、ＭＴＤＡＴＡよりなる点。
　
相違点（Ｂ）；
　赤色発光層が、本願補正発明は、ピラン誘導体を含むのに対して、引用発明２は、クマリン誘導体を含み、ピラン誘導体を含むものではない点。
　
（７）当審の判断
　相違点（Ａ）、（Ｂ）について検討する。
　
　相違点（Ａ）について；
　
　引用例２には、本願トリフェニルアミンと同一の化学構造を有する［化１］式で表される構造を有する正孔注入材料を用いた有機電界発光素子について記載されている。
　また、引用例２には、有機電界発光素子の正孔注入材料として用いられる本願トリフェニルアミンと同一の化学構造を有する［化１］式で表される構造を有する化合物は、一般的な正孔注入材料として頻繁に用いられているｍ−ＭＴＤＡＴＡと構造があまり違わず、しかもｍ−ＭＴＤＡＴＡと比較して、顕著に高いガラス転移点を有する正孔輸送材料および正孔注入材料を探索した結果見出されたものであり、高温環境下や発熱環境下において優れた安定性を発揮することが記載（上記記載事項タ〜ト参照）されているのであるから、引用例２に接した当業者であれば、引用発明２の正孔注入層に用いている、ＭＴＤＡＴＡに換えて、前記［化１］式で表される構造を有する化合物を採用することは、格別困難なくなし得ることであるといわざるを得ない。
　したがって、上記相違点（Ａ）に係る本願補正発明の発明特定事項とすることは当業者であれば容易になし得ることである。
　
　相違点（Ｂ）について；
　
　有機電界発光素子の分野において、赤色発光層にクマリン誘導体やピラン誘導体を含ませることは、例えば、特開２０００−３１５５７９号公報（段落【０００５】、【００３７】、【００３８】等参照）、特開平１１−３２９７２９号公報（段落【０００５】、【００２０】等参照）にも記載されているように周知技術であり、引用発明２の赤色発光層として、クマリン誘導体を含有するものに換えて、ピラン誘導体を含有するものを採用し、上記相違点（Ｂ）に係る本願補正発明の発明特定事項とすることは当業者であれば容易になし得ることである。
　
　また、本願補正発明の作用効果については、赤色発光層として周知技術のピラン誘導体を含むものを採用するとともに、該赤色発光層と組み合わせる正孔注入層の材料として、ＭＴＤＡＴＡよりも優れている本願トリフェニルアミンと同一の化学構造を有する引用例２の［化１］式で表される構造を有する化合物を採用したことによる作用効果を単に確認したものに過ぎない。
　
　よって、本願補正発明は、引用例３及び２に記載された発明に基いて当業者が容易に発明をすることができたものであるから、特許法第２９条第２項の規定により特許出願の際独立して特許を受けることができない。
　
（８）むすび
　以上のとおり、［理由１］或いは［理由２］に記載した理由により、本件補正は、特許法第１７条の２第５項において準用する同法第１２６条第５項の規定に違反するものであるから、同法第１５９条第１項において読み替えて準用する同法第５３条第１項の規定により却下すべきものである。
　
３．本願発明について
　
　平成２０年４月２８日付けの手続補正は前記のとおり却下されたので、本願の特許請求の範囲の請求項１〜５に係る発明は、願書に最初に添付された明細書及び図面の記載からみて、その請求項１〜５に記載されたとおりのものと認められるところ、その請求項１に記載された発明は、以下のとおりのものである。（以下、同項記載の発明を「本願発明」という。）
　
「透明電極と金属電極の間に４，４’，４’’−トリス｛Ｎ，Ｎ−ビス（ｐ−ｔｅｒｔ−ブチルフェニル）アミノ｝トリフェニルアミンよりなる正孔注入層と、有機薄膜よりなる赤色発光層とを少なくとも有し、前記透明電極と前記金属電極の間に電圧を印加して前記赤色発光層に電流を流すことにより発光させて、発光光を外部に取り出すことを特徴とする有機電界発光素子。」
　
（１）引用例
　原査定の拒絶理由に引用された特開平１０−６０４２７号公報（先の「引用例３」）、及び、同じく特開２００１−２１３８５１号公報（先の「引用例２」）には、以下の技術事項が記載されている。
　
ｅ．引用例３；
　
　クマリン誘導体を用いた有機ＥＬ素子に関するもので、
記載事項ナ．【特許請求の範囲】の項中【請求項１】〜【請求項３】
「【請求項１】少なくとも１層の有機化合物層を有し、少なくとも１層の有機化合物層が下記式（Ｉ）で示されるクマリン誘導体を含有する有機ＥＬ素子。
【化１】
　
　
［式（Ｉ）中、Ｒ１、Ｒ２、Ｒ３およびＲ４は各々水素原子またはアルキル基を表し、これらは同一でも異なるものであってもよい。Ｚは２個の炭素原子とともにベンゼン環またはナフタレン環を形成するのに必要な原子群を表す。］
【請求項２】前記クマリン誘導体を含有する有機化合物層が発光層である請求項１の有機ＥＬ素子。
【請求項３】前記クマリン誘導体がホスト材料にドープされている請求項２の有機ＥＬ素子。」
　
記載事項ニ．【０００９】
「【発明が解決しようとする課題】本発明の目的は、特に物理的変化や光化学的変化、電気化学的変化の少ない光・電子機能材料を用い、信頼性および発光効率の高い種々の発光色を持った、特に赤色の発光色を持った有機ＥＬ素子を実現することである。特に、分子量の大きな化合物を蒸着法で形成した有機薄膜を用い、素子の駆動時の駆動電圧上昇や輝度の低下、電流のリーク、部分的な非発光部の出現・成長を抑えた高信頼性かつ、高い赤色純度の高輝度発光素子を実現することである。」
　　
記載事項ヌ．【実施例】の項中【００７７】〜【００８６】
「【００７７】・・・
〈実施例１〉厚さ１００ｎｍのＩＴＯ透明電極（陽極）を有するガラス基板を、中性洗剤、アセトン、エタノールを用いて超音波洗浄し、煮沸エタノール中から引き上げて乾燥し、ＵＶオゾン洗浄後、蒸着装置の基板ホルダーに固定して、１×１０−６Ｔｏｒｒ以下まで減圧した。
【００７８】次いで、下記の４，４’４”−トリス（−Ｎ−（−３−メチルフェニル）−Ｎ−フェニルアミノ）トリフェニルアミン（ＭＴＤＡＴＡ）を蒸留速度２ｎｍ／ｓｅｃで５０ｎｍの厚さに蒸着し、正孔注入層とした。
【００７９】さらに、下記のＮ，Ｎ’−ビス−４−（−Ｎ−（ｍ−ビフェニル）−Ｎ−フェニル−４’−アミノビフェニル）−Ｎ，Ｎ’−ジフェニル−１，１’−ビフェニル−４，４’−ジアミン（ＴＰＤ）を、蒸着速度２ｎｍ／ｓｅｃで２０ｎｍの厚さに蒸着し、正孔輸送層とした。
【００８０】次いで、例示化合物Ｎｏ．１と下記のトリス（８−キノリノラト）アルミニウム（Ａ１Ｑ３）を重量比で０．５：１００の比率で、蒸留速度０．５ｎｍ／ｓｅｃで１０ｎｍの厚さに蒸着し、発光層とした。
【００８１】
【化６】
　
　
・・・
【００８４】次いで、減圧状態を保ったまま、電子注入輸送層として、トリス（８−キノリノラト）アルミニウムを蒸着速度０．２ｎｍ／ｓｅｃで１０ｎｍの厚さに蒸着した。
【００８５】さらに、減圧状態を保ったまま、ＭｇＡｇ（重量比１０：１）を蒸留速度０．２ｎｍ／ｓｅｃで２００ｎｍの厚さに蒸着して陰極とし、ＥＬ素子を得た。
【００８６】このＥＬ素子に電圧を印加して電流を流したところ、１５Ｖ、６１５ｍＡ／ｃｍ２で２８６００ｃｄ／ｍ２の赤橙色（発光極大波長λｍａｘ＝５８９ｎｍ、色度座標ｘ＝０．５８、ｙ＝０．４１）の発光が確認され、この発光は乾燥窒素雰囲気中で１００００時間以上安定していた。部分的非発光部の出現および成長は全くなかった。輝度の半減期は１０ｍＡ／ｃｍ２の定電流駆動で２５００時間（初期輝度４５０ｃｄ／ｍ２）であった。」
　
記載事項ネ．【実施例】の項中【００８７】、【００８８】
「【００８７】〈実施例２〉実施例１と同様に素子を作製した。ただし、例示化合物Ｎｏ．１とトリス（８−キノリノラト）アルミニウム（Ａ１Ｑ３）の比率を重量比で２：１００とした。
【００８８】このＥＬ素子に電圧を印加して電流を流したところ、１６Ｖ、６１０ｍＡ／ｃｍ２で４０００ｃｄ／ｍ２の赤色（発光極大波長λｍａｘ＝６３５ｎｍ、色度座標ｘ＝０．６４、ｙ＝０．３４）の発光が確認され、この発光は乾燥窒素雰囲気中で１００００時間以上安定していた。部分的非発光部の出現および成長は全くなかった。」
　
　引用例3の上記記載事項からして、引用例３には、
「少なくとも１層の有機化合物層を有し、少なくとも１層の有機化合物層がクマリン誘導体を含有する発光層である有機ＥＬ素子において、
　ＩＴＯ透明電極（陽極）の上に順次、ＭＴＤＡＴＡよりなる正孔注入層、ＴＰＤよりなる正孔輸送層、１０ｎｍの厚さのクマリン誘導体を含有する発光層、電子注入輸送層、ＭｇＡｇ陰極を蒸着してＥＬ素子を得た後、ＥＬ素子に電圧を印加して電流を流したところ、赤色の発光が確認された有機ＥＬ素子。」
の発明（以下、「引用発明」という。）が記載されているといえる。
　
ｆ．引用例２；
　
　トリフェニルアミン正孔注入材料に関するもので、
記載事項ノ．【特許請求の範囲】の項中【請求項２】、【請求項４】
「【請求項２】［化１］式で表される構造を有することを特徴とする正孔注入材料。
【化１】
　
　
【請求項４】請求項２記載の正孔注入材料または請求項３記載の正孔注入材料（当審注：「正孔輸送材料」の誤記と認める。）を用いたことを特徴とする有機電界発光素子。」
　
記載事項ハ．【０００１】
「【発明の属する技術分野】本発明は安全性と環境安定性に優れた正孔輸送材料および正孔注入材料、またその正孔輸送材料または正孔注入材料を用いた有機電界発光素子に関するものである。」
　
記載事項ヒ．【発明が解決しようとする課題】の項中【０００６】
「また電子製品材料には高温環境下や発熱環境下において使用される場合、電子製品を構成する機能性膜が劣化して電子製品の寿命が短くなるという問題点があり、特に正孔輸送材料を含む電子製品においては環境安定性が求められている。環境安定性を満たすためには、ガラス転移点の高い正孔輸送材料を選べば良い結果が得られることがわかってきている（IEEE.Trans.Electron Dev.,44,1239,１９９７年）、（有機ＬＥＤ素子の残された重要課題と実用化戦略,ｐ１６,有機エレクトロニクス材料研究会,１９９９年）。」
　
記載事項フ．【００１４】
「【課題を解決するための手段】本発明者らは、一般的な正孔注入材料として頻繁に用いられているｍ−ＭＴＤＡＴＡと構造があまり違わず、しかもｍ−ＭＴＤＡＴＡと比較して、顕著に高いガラス転移点を有する正孔輸送材料および正孔注入材料を探索した結果、［化１］式の化合物が特異的に、類似の構造の化合物に比べて、顕著に高いガラス転移点を有することを見出して本発明を完成した。」
　
記載事項ヘ．【課題を解決するための手段】の項中【００１６】
「本発明の［化１］式の化合物は、１４０℃という顕著に高いガラス転移点を示し、ｍ−ＭＴＤＡＴＡのような類似のトリフェニルアミン化合物のガラス転移点が７５℃であるように、スターバースト型トリフェニルアミン３量体である類似の化合物群が一般的に８０℃以下のガラス転移点を有するのに比べ、明らかに際だった高いガラス転移点を有している。」
　
記載事項ホ．【課題を解決するための手段】の項中【００２１】
「本発明の化合物の仕事関数は５．１ｅＶであり、［化５］式の化合物にターシャリーブチル基を導入しても、これらトリフェニルアミン化合物の代表的化合物であるｍ−ＭＴＤＡＴＡと同様の特性を保持しているので、正孔輸送材料および正孔注入材料として使用するのに十分な特性を有している。」
　
記載事項マ．【課題を解決するための手段】の項中【００２２】
「本発明の化合物はアモルファス状態を安定的に保持し、化学的にも安定であるので、電子製品材料に使用された場合は、高温環境下や発熱環境下において優れた安定性を発揮することができる。また、この電子製品材料は分子内に縮合環芳香族アミンユニットを有さないので安全上の不安が無い。特に、環境安定性の良い発光材や正孔輸送材料または正孔注入材料との組み合わせで有機電界発光素子に使用された場合、高温環境下や発熱環境下において優れた安定性を発揮することができる。」
　
（２）対比
　本願発明と引用発明を対比する。
　
（ａ）引用発明の対象である「有機ＥＬ素子」は、本願発明の対象である「有機電界発光素子」に相当する。
　
（ｂ）引用発明の「ＩＴＯ透明電極（陽極）」、「ＭｇＡｇ陰極」は、本願発明の「透明電極」、「金属電極」に相当する。
　引用発明の「発光層」は電流を流したところ赤色の発光が確認されたのであるから「赤色発光層」といえる。そうすると、引用発明の「１０ｎｍの厚さのクマリン誘導体を含有する発光層」は、本願発明の「有機薄膜よりなる赤色発光層」の概念のなかに包含されると認められる。
　したがって、引用発明の「ＩＴＯ透明電極（陽極）の上に順次、ＭＴＤＡＴＡよりなる正孔注入層、ＴＰＤよりなる正孔輸送層、クマリン誘導体を含有する発光層、電子注入輸送層、ＭｇＡｇ陰極を蒸着して」「得た」「有機ＥＬ素子」は、本願発明の「透明電極と金属電極の間に」「正孔注入層と、」「有機薄膜よりなる赤色発光層とを少なくとも有」「する有機電界発光素子」に相当するといえる。
　
（ｃ）引用発明の「ＥＬ素子に電圧を印加して電流を流したところ、赤色の発光が確認された」ことは、本願発明の「前記透明電極と前記金属電極の間に電圧を印加して赤色発光層に電流を流すことにより発光させて、発光光を外部に取り出す」ことに相当するといえる。
　
　前記（ａ）〜（ｃ）に記載したことからして、本願発明と引用発明との両者は、　　　　　　　　　　　　
「透明電極と金属電極の間に正孔注入層と、有機薄膜よりなる赤色発光層とを少なくとも有し、前記透明電極と前記金属電極の間に電圧を印加して前記赤色発光層に電流を流すことにより発光させて、発光光を外部に取り出す有機電界発光素子。」
である点で一致し、次の相違点が存在する。
　
［相違点］
　正孔注入層が、本願発明は、４，４’，４’’−トリス｛Ｎ，Ｎ−ビス（ｐ−ｔｅｒｔ−ブチルフェニル）アミノ｝トリフェニルアミン（以下、単に「本願トリフェニルアミン」という。）よりなるのに対して、引用発明は、ＭＴＤＡＴＡよりなる点。
　
（３）当審の判断
　相違点について検討する。
　
　引用例２には、本願トリフェニルアミンと同一の化学構造を有する［化１］式で表される構造を有する正孔注入材料を用いた有機電界発光素子について記載されている。
　また、引用例２には、有機電界発光素子の正孔注入材料として用いられる本願トリフェニルアミンと同一の化学構造を有する［化１］式で表される構造を有する化合物は、一般的な正孔注入材料として頻繁に用いられているｍ−ＭＴＤＡＴＡと構造があまり違わず、しかもｍ−ＭＴＤＡＴＡと比較して、顕著に高いガラス転移点を有する正孔輸送材料および正孔注入材料を探索した結果見出されたものであり、高温環境下や発熱環境下において優れた安定性を発揮することが記載（上記記載事項ヒ〜マ参照）されているのであるから、引用例２に接した当業者であれば、引用発明の正孔注入層に用いている、ＭＴＤＡＴＡに換えて、前記［化１］式で表される構造を有する化合物を採用することは、格別困難なくなし得ることであるといわざるを得ない。
　したがって、上記相違点に係る本願発明の発明特定事項とすることは、引用例２に記載された発明に基いて当業者であれば容易になし得ることである。
　
　また、本願発明の作用効果については、赤色発光層と組み合わせる正孔注入層の材料として、ＭＴＤＡＴＡよりも優れている本願トリフェニルアミンと同一の化学構造を有する引用例２の［化１］式で表される構造を有する化合物を採用したことによる作用効果を単に確認したものに過ぎない。
　
　よって、本願発明は、引用例３及び２に記載された発明に基いて当業者が容易に発明をすることができたものである。
　
（４）むすび
　以上のとおり、本願発明は、引用例３及び２に記載された発明に基いて当業者が容易に発明をすることができたものであるから、特許法第２９条第２項の規定により特許を受けることができない。
　よって、結論のとおり審決する。